【手続補正書】
【提出日】平成21年5月28日(2009.5.28)
【手続補正１】
【補正対象書類名】特許請求の範囲
【補正対象項目名】全文
【補正方法】変更
【補正の内容】
【特許請求の範囲】
【請求項１】
ハングル文字からなる見出語と、見出語字母列と、ハングル文字を含む説明情報とを対応づけて複数記憶している韓国辞書記憶手段と、
この韓国辞書記憶手段に記憶されたいずれかの見出語に対応する説明情報を表示させる制御を行う説明情報表示制御手段と、
この説明情報表示制御手段により表示された説明情報中の何れかのハングル文字を検索対象に指定する検索対象指定手段と、
この検索対象指定手段により指定されたハングル文字を先頭とするハングル文字列を前記説明情報表示制御手段により表示された説明情報中から抽出し、この抽出されたハングル文字列に対応する一連の字母を決定する字母決定手段と、
この字母決定手段により決定された一連の字母と前方一致する見出語字母列を前記韓国辞書記憶手段から検索する字母比較検索手段と、
この字母比較検索手段により検索された見出語字母列に対応する見出語を表示する制御を行う見出語表示制御手段と、
を備えた表示制御装置。
【請求項２】
前記字母決定手段は、各ハングル文字ごとに予め定められたハングル文字字母変換規定に従って、前記抽出されたハングル文字列に対応する一連の字母を決定する変換規定字母決定手段を有する請求項１に記載の表示制御装置。
【請求項３】
ハングル文字からなる見出語と、見出語字母列と、ハングル文字を含む説明情報とを対応づけて複数記憶している韓国辞書記憶手段と、
この韓国辞書記憶手段に記憶されたいずれかの見出語に対応する説明情報を表示させる制御を行う説明情報表示制御手段と、
この説明情報表示制御手段により表示された説明情報中の何れかのハングル文字列を字母単位で範囲指定する字母単位指定手段と、
この字母単位指定手段により範囲指定された一連の字母と前方一致する見出語字母列を前記韓国辞書記憶手段から検索する字母比較検索手段と、
この字母比較検索手段により検索された見出語字母列に対応する見出語を表示する制御を行う見出語表示制御手段と、
を備えた表示制御装置。
【請求項４】
前記字母単位指定手段は、
前記説明情報表示制御手段により表示された説明情報中の任意のハングル文字の字母のうち前記範囲指定の先頭とする字母をユーザ操作に従って指定する先頭字母指定手段と、
前記説明情報表示制御手段により表示された説明情報中の任意のハングル文字の字母のうち前記範囲指定の末尾とする字母をユーザ操作に従って指定する末尾字母指定手段と、
を有する請求項３に記載の表示制御装置。
【請求項５】
前記説明情報表示制御手段は、ハングル文字ごとに予め定められたハングル文字字母変換規定に従って字母単位で指定可能に前記説明情報を表示させる制御を行う請求項３又は４に記載の表示制御装置。
【請求項６】
コンピュータに、
ハングル文字からなる見出語と、見出語字母列と、ハングル文字を含む説明情報とを対応づけて複数記憶している韓国辞書記憶機能と、
前記韓国辞書記憶機能により記憶されたいずれかの見出語に対応する説明情報を表示させる制御を行う説明情報表示制御機能と、
この説明情報表示制御機能により表示された説明情報中の何れかのハングル文字を検索対象に指定する検索対象指定機能と、
この検索対象指定機能により指定されたハングル文字を先頭とするハングル文字列を前記説明情報表示制御機能により表示された説明情報中から抽出し、この抽出されたハングル文字列に対応する一連の字母を決定する字母決定機能と、
この字母決定機能により決定された一連の字母と前方一致する見出語字母列を前記韓国辞書記憶機能から検索する字母比較検索機能と、
この字母比較検索機能により検索された見出語字母列に対応する見出語を表示する制御を行う見出語表示制御機能と、
を実現させるためのプログラム。
【請求項７】
コンピュータに、
ハングル文字からなる見出語と、見出語字母列と、ハングル文字を含む説明情報とを対応づけて複数記憶している韓国辞書記憶機能と、
前記韓国辞書記憶機能により記憶されたいずれかの見出語に対応する説明情報を表示させる制御を行う説明情報表示制御機能と、
この説明情報表示制御機能により表示された説明情報中の何れかのハングル文字列を字母単位で範囲指定する字母単位指定機能と、
この字母単位指定機能により範囲指定された一連の字母と前方一致する見出語字母列を前記韓国辞書記憶機能から検索する字母比較検索機能と、
この字母比較検索機能により検索された見出語字母列に対応する見出語を表示する制御を行う見出語表示制御機能と、
を実現させるためのプログラム。
【手続補正２】
【補正対象書類名】明細書
【補正対象項目名】０００９
【補正方法】変更
【補正の内容】
【０００９】
上記の課題を解決するため、請求項１に記載の発明の表示制御装置は、
ハングル文字からなる見出語と、見出語字母列と、ハングル文字を含む説明情報とを対応づけて複数記憶している韓国辞書記憶手段と、
この韓国辞書記憶手段に記憶されたいずれかの見出語に対応する説明情報を表示させる制御を行う説明情報表示制御手段と、
この説明情報表示制御手段により表示された説明情報中の何れかのハングル文字を検索対象に指定する検索対象指定手段と、
この検索対象指定手段により指定されたハングル文字を先頭とするハングル文字列を前記説明情報表示制御手段により表示された説明情報中から抽出し、この抽出されたハングル文字列に対応する一連の字母を決定する字母決定手段と、
この字母決定手段により決定された一連の字母と前方一致する見出語字母列を前記韓国辞書記憶手段から検索する字母比較検索手段と、
この字母比較検索手段により検索された見出語字母列に対応する見出語を表示する制御を行う見出語表示制御手段と、
を備えることを特徴としている。
【手続補正３】
【補正対象書類名】明細書
【補正対象項目名】００１０
【補正方法】変更
【補正の内容】
【００１０】
請求項２に記載の発明の表示制御装置は、請求項１に記載の表示制御装置であって、前記字母決定手段は、各ハングル文字ごとに予め定められたハングル文字字母変換規定に従って、前記抽出されたハングル文字列に対応する一連の字母を決定する変換規定字母決定手段を更に備えることを特徴としている。
【手続補正４】
【補正対象書類名】明細書
【補正対象項目名】００１１
【補正方法】変更
【補正の内容】
【００１１】
請求項３に記載の発明の表示制御装置は、
ハングル文字からなる見出語と、見出語字母列と、ハングル文字を含む説明情報とを対応づけて複数記憶している韓国辞書記憶手段と、
この韓国辞書記憶手段に記憶されたいずれかの見出語に対応する説明情報を表示させる制御を行う説明情報表示制御手段と、
この説明情報表示制御手段により表示された説明情報中の何れかのハングル文字列を字母単位で範囲指定する字母単位指定手段と、
この字母単位指定手段により範囲指定された一連の字母と前方一致する見出語字母列を前記韓国辞書記憶手段から検索する字母比較検索手段と、
この字母比較検索手段により検索された見出語字母列に対応する見出語を表示する制御を行う見出語表示制御手段と、
を備えることを特徴としている。
【手続補正５】
【補正対象書類名】明細書
【補正対象項目名】００１２
【補正方法】変更
【補正の内容】
【００１２】
請求項４に記載の発明の表示制御装置は、請求項３に記載の表示制御装置であって、
前記字母単位指定手段は、
前記説明情報表示制御手段により表示された説明情報中の任意のハングル文字の字母のうち前記範囲指定の先頭とする字母をユーザ操作に従って指定する先頭字母文字指定手段と、
前記明情報表示制御手段により表示された説明情報中の任意のハングル文字の字母のうち前記範囲指定の末尾とする字母をユーザ操作に従って指定する末尾字母指定手段と、
を更に備えることを特徴としている。
【手続補正６】
【補正対象書類名】明細書
【補正対象項目名】００１３
【補正方法】変更
【補正の内容】
【００１３】
請求項５に記載の発明の表示制御装置は、請求項３又は４に記載の表示制御装置であって、
前記説明情報表示制御手段は、ハングル文字ごとに予め定められたハングル文字字母変換規定に従って字母単位で指定可能に前記説明情報を表示させる制御を行うことを特徴としている。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
請求項６に記載の発明のプログラムは、
コンピュータに、
ハングル文字からなる見出語と、見出語字母列と、ハングル文字を含む説明情報とを対応づけて複数記憶している韓国辞書記憶機能と、
前記韓国辞書記憶機能により記憶されたいずれかの見出語に対応する説明情報を表示させる制御を行う説明情報表示制御機能と、
この説明情報表示制御機能により表示された説明情報中の何れかのハングル文字を検索対象に指定する検索対象指定機能と、
この検索対象指定機能により指定されたハングル文字を先頭とするハングル文字列を前記説明情報表示制御機能により表示された説明情報中から抽出し、この抽出されたハングル文字列に対応する一連の字母を決定する字母決定機能と、
この字母決定機能により決定された一連の字母と前方一致する見出語字母列を前記韓国辞書記憶機能から検索する字母比較検索機能と、
この字母比較検索機能により検索された見出語字母列に対応する見出語を表示する制御を行う見出語表示制御機能と、
を実現させることを特徴としている。
【手続補正９】
【補正対象書類名】明細書
【補正対象項目名】００１６
【補正方法】変更
【補正の内容】
【００１６】
請求項７に記載の発明のプログラムは、
コンピュータに、
ハングル文字からなる見出語と、見出語字母列と、ハングル文字を含む説明情報とを対応づけて複数記憶している韓国辞書記憶機能と、
前記韓国辞書記憶機能により記憶されたいずれかの見出語に対応する説明情報を表示させる制御を行う説明情報表示制御機能と、
この説明情報表示制御機能により表示された説明情報中の何れかのハングル文字列を字母単位で範囲指定する字母単位指定機能と、
この字母単位指定機能により範囲指定された一連の字母と前方一致する見出語字母列を前記韓国辞書記憶機能から検索する字母比較検索機能と、
この字母比較検索機能により検索された見出語字母列に対応する見出語を表示する制御を行う見出語表示制御機能と、
を実現させることを特徴としている。
【手続補正１０】
【補正対象書類名】明細書
【補正対象項目名】００１７
【補正方法】変更
【補正の内容】
【００１７】
請求項１に記載の発明によれば、ハングル文字を構成する各字母列に従って適切な検索を実行することができる。請求項７に記載の発明も同様の作用効果を奏する。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】